(57)【要約】【課題】不審者につけられたような場合に自宅ではない建物に駆け込んで難を逃れることを容易にする緊急駆込みルーム付き建物を提供する。【解決手段】建物（集合住宅）の１階事務所用の玄関１１を入って直進する方向には風除室１２および事務所内通路が設けられており、上記風除室１２と事務所内通路の境界部には自動扉１２ａが設けられている。そして、上記玄関１１を入って上記直進する方向から外れる方向には、扉２１を開けて人が入り中から当該扉２１をロックすることができる緊急駆込みルーム２が設けられている。【選択図】図２
2014218811.tif 000002
【特許請求の範囲】
【請求項１】
建物の玄関を入って直進する方向には通路が形成されており、上記玄関を入って上記直進する方向から外れる方向には、扉を開けて人が入り中から当該扉をロックすることができる緊急駆込みルームが設けられていることを特徴とする緊急駆込みルーム付き建物。
【請求項２】
請求項１に記載の緊急駆込みルーム付き建物において、上記扉は上記緊急駆込みルーム内に設けられた押しボタンが操作されることでロックされることを特徴とする緊急駆込みルーム付き建物。
【請求項３】
請求項１または請求項２に記載の緊急駆込みルーム付き建物において、上記緊急駆込みルーム内には警備会社と通信する通信機器が設けられていることを特徴とする緊急駆込みルーム付き建物。
【請求項４】
請求項１〜請求項３のいずれか１項に記載の緊急駆込みルーム付き建物において、上記緊急駆込みルームにエアシャワー装置が設けられていることを特徴とする緊急駆込みルーム付き建物。
【請求項５】
請求項１〜請求項４のいずれか１項に記載の緊急駆込みルーム付き建物において、上記緊急駆込みルームは風除室内に設けられていることを特徴とする緊急駆込みルーム付き建物。
【請求項６】
請求項１〜請求項５のいずれか１項に記載の緊急駆込みルーム付き建物において、上記扉がロックされると当該扉の全体または一部が、上記緊急駆込みルーム内が見える透明状態から上記緊急駆込みルーム内が見えない不透明または半透明状態に切り替わることを特徴とする緊急駆込みルーム付き建物。
【発明の詳細な説明】
【技術分野】
【０００１】
この発明は、人が難を逃れるために入ることができる緊急駆込みルーム付き建物に関する。
【背景技術】
【０００２】
特許文献１には、コンビニエンススト等の店舗で働く店員の生命を守り、売上金等の現金が盗まれることを防止することが可能な施錠装置が開示されている。具体的には、レール上を走行する車輪によって引き戸が移動して施錠される施錠装置において、引き戸の上部両端に突起部が設けられ、この突起部は引き戸に設けられた操作部によって出没自在であり、前記レールの下方側両端に前記突起部を係止するためのストッパが設けられ、前記操作部によって前記突起部の係止が解除されたときに前記引き戸を閉状態とするための引き込み手段が設けられている。
【０００３】
また、特許文献２には、屋外から住居等に入る際に衣服や頭髪に付着した花粉等を吹き飛ばすエアシャワー装置が開示されている。
【先行技術文献】
【特許文献】
【０００４】
【特許文献１】特開２００６−３７５１７号公報
【特許文献２】特開２００７−２５５７７８号公報
【発明の概要】
【発明が解決しようとする課題】
【０００５】
上記特許文献１に開示された施錠装置は、店舗で働く店員の生命を守ることができるものの、不審者につけまわされた方が当該店舗に入ってきた場合に十分に安全を確保できるものではなかった。そして、このように不審者につけまわされたときに、傍に集合住宅等の建物があったとしても、自宅ではない他人の建物に駆け込むことに躊躇しがちとなるものであり、このように駆け込みを躊躇したために何らかの被害を受けることがあった。
【０００６】
この発明は、上記の事情に鑑み、不審者につけられたような場合に自宅ではない他人の建物に駆け込んで難を逃れることを容易にする緊急駆込みルーム付き建物を提供することを課題とする。
【課題を解決するための手段】
【０００７】
この発明の緊急駆込みルーム付き建物は、上記の課題を解決するために、建物の玄関を入って直進する方向には通路が形成されており、上記玄関を入って上記直進する方向から外れる方向には、扉を開けて人が入り中から当該扉をロックすることができる緊急駆込みルームが設けられていることを特徴とする。
【０００８】
上記の構成であれば、上記建物の傍を歩いているときに不審者につけられたような場合に、当該建物の玄関に入って上記緊急駆込みルームに駆け込んで難を逃れることができる。一方、当該建物内に居住者や使用者が入ることにおいては、上記玄関を入って直進すれば上記通路に至ることができるので、居住者等の玄関出入りの動線を害することはない。
【０００９】
上記扉は上記緊急駆込みルーム内に設けられた押しボタンが操作されることでロックされるようにしてもよい。これによれば、上記緊急駆込みルーム内に入って慌ててサムターンを回そうとしても上手く回せないことがあるが、上記押しボタンであれば操作しやすく、慌てているときでも上記扉を素早くロックすることができる。
【００１０】
上記緊急駆込みルーム内には警備会社と通信する通信機器が設けられていてもよい。これによれば、自身の携帯電話を利用して知人などに来てもらうよりも的確に警備員が駆けつけてくれることになる。
【００１１】
上記緊急駆込みルームにエアシャワー装置が設けられていてもよい。これによれば、上記緊急駆込みルームがエアシャワー室を兼ねることになり、通常時には、建物の居住者や使用者が帰宅したときに、当該緊急駆込みルームを利用して花粉や埃を衣服や毛髪から除去することができる。
【００１２】
上記緊急駆込みルームは風除室内に設けられてもよい。これによれば、上記建物のロビーにまで入らずに上記緊急駆込みルームに入ることができる。
【００１３】
上記扉がロックされると当該扉の全体または一部が、上記緊急駆込みルーム内が見える透明状態から上記緊急駆込みルーム内が見えない不透明または半透明状態に切り替わるようにしてもよい。これによれば、不審者から上記緊急駆込みルーム内を見られずに済むことになる。なお、上記緊急駆込みルームの外側をカメラで撮像した画像を当該上記緊急駆込みルームのモニターに表示すれば、駆け込んだ方は外の様子を確認することができる。
【発明の効果】
【００１４】
本発明であれば、不審者につけられたような場合に自宅ではない他人の建物に駆け込んで難を逃れることを容易にするという効果を奏する。
【図面の簡単な説明】
【００１５】
【図１】本発明の実施形態の緊急駆込みルーム付き建物を示した間取り図である。
【図２】本発明の実施形態の緊急駆込みルーム付き建物における緊急駆込みルームの設置例を示した説明図である。
【発明を実施するための形態】
【００１６】
以下、この発明の実施の形態を添付図面に基づいて説明する。
図１に示すように、この実施形態の緊急駆込みルーム付き建物（集合住宅）１は、１階が事務所使用であり、２階から上が集合住宅となっている。この例では、図面下側には事務所用の玄関１１および風除室１２が設けられており、上記風除室１２内に緊急駆込みルーム２が設置されている。そして、上記玄関１１には玄関扉１１ａが設けられており、上記風除室１２と事務所内通路との境界部には自動扉１２ａが設けられている。また、図面上側には集合住宅用の玄関１３が設けられている。この実施形態では上記集合住宅用の玄関１３には緊急駆込みルームは設置されていないが、設置する形態を採用することもできる。
【００１７】
上記緊急駆込みルーム２が設置される箇所においては、上記玄関１１を入って直進する方向に通路が設けられる。そして、上記玄関１１を入って上記直進する方向から右に外れる方向に上記緊急駆込みルーム２が設けられる。
【００１８】
図２に示しているように、上記緊急駆込みルーム２には、扉２１が設けられており、この扉２１を開けて人が入り中からロックをすることができる。上記扉２１は破壊されにくい防犯複層ガラスなどからなる。
【００１９】
上記緊急駆込みルーム２内の壁には非常用の押しボタン２２が設けられており、また、この押しボタン２２の近傍には、これが非常用の押しボタンであることを示す表示がされている。上記扉２１は、上記押しボタン２２が操作されることで自動的にロックされる。例えば、電動サムターンを用い、上記扉２１が閉じられて上記押しボタン２２が操作されたときに上記電動サムターンによってデッドボルトを突出させることで上記扉２１をロックすることができる。上記扉２１が閉じられたか否かは、例えば上記扉２１が閉じられたときにオンする近接スイッチ等を設けておくことで判断することができる。なお、アンロックのための操作ボタンは別に設けられてもよいし、上記電動サムターンを手動で回してアンロックするようにしてもよい。
【００２０】
また、上記緊急駆込みルーム２内には警備会社と通信する通信機器を含むルーム内装置２３が設けられている。この実施形態では、上記押しボタン２２が操作されたときに、上記ルーム内装置２３によって上記警備会社への通報処理が実行されるようにしている。もちろん、このような通報だけでなく、上記ルーム内装置２３に受話器を設けておき、この受話器がオフフックされたときに、上記警備会社への通信回線接続処理を行い、ルーム内に駆け込まれた方から警備員が事情を聴いて適切に対処することもできる。
【００２１】
また、この実施形態では、上記扉２１は液晶フィルムを透明板（ガラス等）で挟んだ透明構造部分を有している。上記液晶フィルムは通電によって光を遮断する或いは光を散乱させる機能を有する。すなわち、上記扉２１がロックされると上記透明構造部分は上記緊急駆込みルーム２内が見える透明状態から上記緊急駆込みルーム２内が見えない不透明または半透明状態に切り替わる。上記緊急駆込みルーム２内に駆け込まれた方が、上記液晶フィルムに対する通電と非通電を専用のボタンによって操作するようにしてもよいが、この実施形態では、上記押しボタン２２が操作されたときに、上記扉２１のロックと同時に上記液晶フィルムに対する通電（不透明または半透明状態）を自動的に行うようにしている。
【００２２】
また、この実施形態では、上記緊急駆込みルーム２内にエアシャワー装置２４を設け、当該緊急駆込みルーム２がエアシャワー室を兼ねるようにしている。上記エアシャワー装置２４は、装置の前方に強い風を送出して衣服や頭髪の埃や花粉を吹き飛ばし、下部より空気を吸込み、フィルターを通して空気を巡回させるものである。
【００２３】
また、上記緊急駆込みルーム２には、ルーム内画像を記録するためのカメラやレコーダー、音声を出力するスピーカー、画像を表示するディスプレイなどが設けられている。上記ディスプレイには、通常時において上記エアシャワー装置２４の操作案内を表示する一方、緊急駆込み時において不審者対処のための注意表示などを行うことができる。
【００２４】
このような、緊急駆込みルーム付き建物１であれば、当該建物１の傍を歩いているときに不審者につけられたような場合に、上記玄関１１に入って上記緊急駆込みルーム２に駆け込んで難を逃れることができる。一方、当該建物１内に居住者や使用者が入ることにおいては、上記玄関１１を入って直進すれば通路に至ることができるので、使用者の玄関出入りの動線を害することはない。なお、上記の例示では、上記建物１の１階側が事務所使用となっていたが、１階側を店舗とするようにしてもよいし、或いは全部を集合住宅とするタイプとしてもよい。
【００２５】
上記緊急駆込みルーム２内に入って慌ててサムターンを回そうとしても上手く回せないことがあるが、上記扉２１が上記押しボタン２２が操作されることでロックされるようにしてあると、上記押しボタン２２は操作しやすいので、慌てた状態でも上記扉２１を素早くロックすることができる。
【００２６】
上記緊急駆込みルーム２内に警備会社と通信する通信機器（ルーム内装置２３）が設けられていると、自身の携帯電話を利用して知人などに来てもらうよりも的確に警備員が駆けつけてくれることになる。
【００２７】
上記緊急駆込みルーム２にエアシャワー装置２４が設けられていると、上記緊急駆込みルーム２がエアシャワー室を兼ねることになり、通常時には、建物１の居住者や使用者が帰宅したときに、当該緊急駆込みルーム２を利用して花粉や埃を衣服や毛髪から除去することができる。なお、上記の例では、上記エアシャワー装置２４を上記緊急駆込みルーム２の奥側に設けたが、上記エアシャワー装置２４を上記緊急駆込みルーム２の右サイド或いは左サイドに配置するようにしてもよい。
【００２８】
また、上記緊急駆込みルーム２が風除室１２内に設けられていると、上記建物１のロビーにまで入らずに上記緊急駆込みルーム２に入ることができる。
【００２９】
上記扉２１がロックされたときに当該扉２１の全体または一部が、上記緊急駆込みルーム内が見える透明状態から上記緊急駆込みルーム内が見えない不透明または半透明状態に切り替わることができると、不審者から上記緊急駆込みルーム２内を見られずに済むことになる。なお、上記緊急駆込みルーム２の外側をカメラで撮像した画像を当該上記緊急駆込みルームの上記ディスプレイ（モニター）に表示すれば、駆け込んだ方は外の様子を確認することができる。
【００３０】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００３１】
１      建物（集合住宅）
１１    玄関
１１ａ  玄関扉
１２    風除室
１２ａ  自動扉
２      緊急駆込みルーム
２１    扉
２２    押しボタン
２３    ルーム内装置
２４    エアシャワー装置
【図１】
2014218811.tif 000003
【図２】
2014218811.tif 000004